(57)【要約】【課題】  夜間や視認性の悪い場合であっても、簡易な構成でカラーを含む画像を得る。【解決手段】  ＣＣＤイメージセンサ１は、カラーＩＲフィルタ１０を介して入射された光に基づいて、Ｒ、Ｇ、Ｂの各色信号、近赤外輝度信号Ｉｒを生成する。可視／赤外領域判定部４は、ＣＤＳ回路２及びＡ／Ｄ変換器３を介して供給された色信号Ｒ、Ｇ、Ｂから可視光輝度信号Ｙを生成し、１画面の所定ブロック毎に、可視光輝度信号Ｙのレベル値と近赤外輝度信号Ｉｒとのレベル値とを比較して、可視領域か赤外領域かを判定する。カラー画像生成部５は、可視領域と判定されたブロックについては、Ａ／Ｄ変換器３から供給される色信号Ｒ、Ｇ、Ｂに基づいて、カラー画像を生成し、赤外領域と判定されたブロックについては、そのブロック内の近赤外輝度信号Ｉｒに基づいてモノクロ画像を生成する。【選択図】  図１
2006148690.tif 000002
【特許請求の範囲】
【請求項１】
被写体を撮像して、前記被写体からの可視光成分に基づいて複数の色信号を生成し、前記被写体からの赤外線成分に基づいて赤外線輝度信号を生成する撮像手段と、
前記撮像手段により生成された各色信号及び赤外線輝度信号に基づいて、カラー画像を生成するカラー画像生成手段と、
を備えた撮像装置。
【請求項２】
前記カラー画像生成手段により生成されたカラー画像を表示する表示手段を更に備えた
請求項１に記載の撮像装置。
【請求項３】
前記カラー画像生成手段は、前記各色信号に基づく可視光輝度信号のレベル値と前記赤外線輝度信号のレベル値とを比較し、前記可視光輝度信号のレベル値が高い領域については、前記各色信号に基づいてカラー画像を生成し、前記赤外線輝度信号のレベル値が高い領域については、前記赤外線輝度信号に基づいてモノクロ画像を生成する
請求項１または請求項２に記載の撮像装置。
【請求項４】
前記被写体に近赤外線光を照射する光照射手段を更に備え、
前記撮像手段は、前記被写体からの近赤外線成分に基づいて近赤外線輝度信号を生成する
請求項１から請求項３のいずれか１項に記載の撮像装置。
【請求項５】
被写体を撮像して、前記被写体からの可視光成分に基づいて複数の色信号を生成し、前記被写体からの異なる波長の赤外線成分に基づいて複数の赤外線輝度信号を生成する撮像手段と、
前記各色信号に基づく可視光輝度信号のレベル値と前記各赤外線輝度信号のレベル値とを比較し、前記可視光輝度信号のレベル値が高い領域については、前記各色信号に基づいてカラー画像を生成し、少なくとも１つの赤外線輝度信号のレベル値が高い領域については、各赤外線輝度信号に基づいてカラー画像を生成するカラー画像生成手段と、
を備えた撮像装置。
【請求項６】
前記カラー画像生成手段により生成されたカラー画像を表示する表示手段を更に備えた
請求項５に記載の撮像装置。
【請求項７】
複数の色信号の各レベル値と、前記各色信号の各レベル値によって表される色で反射されたときの複数の赤外線輝度信号の各レベル値と、の対応関係を記憶する記憶手段を更に備え、
前記カラー画像生成手段は、少なくとも１つの赤外線輝度信号のレベル値が高い領域については、前記各赤外線輝度信号の各レベル値に対応する各色信号のレベル値を、前記記憶手段から読み出し、読み出した各色信号に基づいてカラー画像を生成する
請求項５または請求項６に記載の撮像装置。
【請求項８】
前記被写体に複数の近赤外線光を照射する光照射手段を更に備え、
前記撮像手段は、前記被写体からの複数の近赤外線成分に基づいて複数の近赤外線輝度信号を生成する
請求項５から請求項７のいずれか１項に記載の撮像装置。
【発明の詳細な説明】
【技術分野】
【０００１】
本発明は、撮像装置に係り、例えば、夜間視界映像支援システムに用いて好適な撮像装置に関する。
【背景技術】
【０００２】
目に見えない近赤外照明を車両前方に照射し、近赤外光に感度をもつカメラで撮像する夜間視界映像支援システム（いわゆる近赤外ナイトビジョン）が開発されている。夜間視界映像支援システムは、高画質の画像が要求されている一方で、撮像された画像が近赤外波長のものであるため、モノクロ画像を生成する。このため、通常のドライバが見るカラー画像と異なり、ドライバの視認性が低下してしまうことがある。
【０００３】
そこで、ドライバが認知しやすいような交通状況の画像を得ることができる「車両における視界を改善する方法および装置」が開示されている（例えば、特許文献１を参照。）。特許文献１に記載された技術は、交通状況の白黒ビデオ画像に含まれる対象物のタイプを自動的に識別し、その対象物を識別したタイプに応じて疑似カラーで表示するものである。
【０００４】
また、赤外線カメラを使用した場合、対象物は、記憶された経験値に基づいて昼光スペクトルに換算し直され、その結果、昼光下での輝度と色にできるだけ近い輝度および色を有するスペクトルに換算される。
【特許文献１】特開２００３−７８９０８号公報
【発明の開示】
【発明が解決しようとする課題】
【０００５】
しかし、特許文献１に記載された技術は、ビデオ画像に含まれるすべての対象物のタイプを識別しなければならないため、画像処理の負担が非常に大きくなってしまう問題があった。また、夜間に撮影した場合であっても、ビデオ画像に昼光下での典型的な色を割り当てているため、ドライバが違和感を感じる問題もあった。
【０００６】
本発明は、上述した課題を解決するために提案されたものであり、簡易な構成でカラーを含む画像を得ることができる撮像装置を提供することを目的とする。
【課題を解決するための手段】
【０００７】
本発明に係る撮像装置は、被写体を撮像して、前記被写体からの可視光成分に基づいて複数の色信号を生成し、前記被写体からの赤外線成分に基づいて赤外線輝度信号を生成する撮像手段と、前記撮像手段により生成された各色信号及び赤外線輝度信号に基づいて、カラー画像を生成するカラー画像生成手段と、を備えている。
【０００８】
これにより、上記撮像装置は、可視光成分からの各色信号及び赤外線成分からの赤外線輝度信号に基づいてカラー画像を生成することにより、連続的かつカラー化した画像を得ることができる。
【０００９】
上記撮像装置は、前記カラー画像生成手段により生成されたカラー画像を表示する表示手段を更に備えてもよい。
【００１０】
上記撮像装置は、前記カラー画像生成手段は、前記各色信号に基づく可視光輝度信号のレベル値と前記赤外線輝度信号のレベル値とを比較し、前記可視光輝度信号のレベル値が高い領域については、前記各色信号に基づいてカラー画像を生成し、前記赤外線輝度信号のレベル値が高い領域については、前記赤外線輝度信号に基づいてモノクロ画像を生成してもよい。
【００１１】
赤外線輝度信号のレベル値が高い領域では、可視光成分から得られる色信号は、ゼロに近くなるものの、実際にはノイズによってゼロにならない。そこで、カラー画像生成手段は、赤外線輝度信号のレベル値が高い領域では、色信号を使用せず、赤外線輝度信号に基づいてモノクロ画像を生成する。これにより、上記撮像装置は、カラーノイズのない高画質の画像を得ることができる。
【００１２】
また、上記撮像装置は、前記被写体に近赤外線光を照射する光照射手段を更に備え、前記撮像手段は、前記被写体からの近赤外線成分に基づいて近赤外線輝度信号を生成してもよい。
【００１３】
本発明に係る撮像装置は、被写体を撮像して、前記被写体からの可視光成分に基づいて複数の色信号を生成し、前記被写体からの異なる波長の赤外線成分に基づいて複数の赤外線輝度信号を生成する撮像手段と、前記各色信号に基づく可視光輝度信号のレベル値と前記各赤外線輝度信号のレベル値とを比較し、前記可視光輝度信号のレベル値が高い領域については、前記各色信号に基づいてカラー画像を生成し、少なくとも１つの赤外線輝度信号のレベル値が高い領域については、各赤外線輝度信号に基づいてカラー画像を生成するカラー画像生成手段と、を備えている。
【００１４】
少なくとも１つの赤外線輝度信号のレベル値が可視光輝度信号のレベル値に比べて十分高い領域では、可視光成分から得られる色信号は、ゼロに近くなるものの、実際にはノイズによってゼロにならない。そこで、カラー画像生成手段は、上記領域では、可視光成分に基づく色信号を使用せず、各赤外線輝度信号に基づいてカラー画像を生成する。これにより、上記撮像装置は、カラーノイズのない高画質のカラー画像を得ることができる。
【００１５】
上記撮像装置は、前記カラー画像生成手段により生成されたカラー画像を表示する表示手段を更に備えてもよい。
【００１６】
上記撮像装置は、複数の色信号の各レベル値と、前記各色信号の各レベル値によって表される色で反射されたときの複数の赤外線輝度信号の各レベル値と、の対応関係を記憶する記憶手段を更に備え、前記カラー画像生成手段は、少なくとも１つの赤外線輝度信号のレベル値が高い領域については、前記各赤外線輝度信号の各レベル値に対応する各色信号のレベル値を、前記記憶手段から読み出し、読み出した各色信号に基づいてカラー画像を生成してもよい。
【００１７】
これにより、上記撮像装置は、記憶手段から、各赤外線輝度信号の各レベル値に対応する各色信号のレベル値を読み出してカラー画像を生成するので、近赤外領域であってもカラー画像を得ることができる。
【００１８】
上記撮像装置は、前記被写体に複数の近赤外線光を照射する光照射手段を更に備え、前記撮像手段は、前記被写体からの複数の近赤外線成分に基づいて複数の近赤外線輝度信号を生成してもよい。
【発明の効果】
【００１９】
本発明に係る撮像装置は、夜間や視認性の悪い場合であっても、より簡単にカラーを含む画像を得ることができる。
【発明を実施するための最良の形態】
【００２０】
以下、本発明の好ましい実施の形態について図面を参照しながら詳細に説明する。
【００２１】
［第１の実施形態］
図１は、本発明の第１の実施形態に係る撮像装置の構成を示すブロック図である。本実施形態に係る撮像装置は、車両前方を撮像できるように配置されている。
【００２２】
上記撮像装置は、被写体を撮像するＣＣＤイメージセンサ１と、相関二重サンプリング処理（ＣＤＳ）を施すＣＤＳ回路２と、アナログ／ディジタル変換を行うＡ／Ｄ変換器３と、可視領域か赤外領域かを判定する可視／赤外領域判定部４と、カラー画像を生成するカラー画像生成部５と、カラー画像を表示するＬＣＤ６と、可視光より長波長の成分を含んだ近赤外光を車両前方に出射する近赤外光源７と、近赤外光源７を駆動する駆動回路８とを備えている。
【００２３】
ＣＣＤイメージセンサ１は、カラーＩＲフィルタ１０を介して入射された光に基づいて、色信号Ｒ（赤）、Ｇ（緑）、Ｂ（青）と、近赤外（Ｉｒ）の輝度信号（以下「近赤外輝度信号」という。）とを生成する。
【００２４】
図２は、カラーＩＲフィルタ１０の構成を示す図である。カラーＩＲフィルタ１０は、ＣＣＤイメージセンサ１への入射光からＲ成分、Ｇ成分、Ｂ成分、Ｉｒ成分をそれぞれ透過するフィルタアレイで構成されている。なお、Ｒ、Ｇ、Ｂ、Ｉｒの配置については特に限定されるものではない。
【００２５】
このため、ＣＣＤイメージセンサ１は、カラーＩＲフィルタ１０によって欠落した色成分については、隣接する同色の複数の画素値を混合して出力している。なお、ＣＣＤイメージセンサ１が画素混合を行わない場合、可視／赤外領域判定部４が、カラーＩＲフィルタ１０によって欠落した色成分を補間すればよい。また、本発明は、単板式に限定されるものではなく、多板式であってもよい。
【００２６】
図３は、多板式の撮像装置に備えられたＣＣＤイメージセンサ１Ｒ、１Ｇ、１Ｂ、１Ｉｒを示す図である。多板式の場合、被写体からの入射光は、ダイクロイックミラーによってＲ、Ｇ、Ｂ、Ｉｒの各成分に分離される。そして、Ｒ、Ｇ、Ｂ、Ｉｒの各成分は、ＣＣＤイメージセンサ１Ｒ、１Ｇ、１Ｂ、１Ｉｒにぞれぞれ入射される。これにより、ＣＣＤイメージセンサ１Ｒ、１Ｇ、１Ｂ、１Ｉｒは、それぞれＲ信号、Ｇ信号、Ｂ信号、近赤外輝度信号Ｉｒを生成する。なお、上記のように入射光を各成分に分離することができれば、ダイクロイックミラーの代わりにプリズムを用いてもよいのは勿論である。
【００２７】
以上のように構成された撮像装置では、夜間になると、近赤外光源７が車両前方に近赤外光を照射する。このとき、ＣＣＤイメージセンサ１は、カラーＩＲフィルタ１０を介して入射された光に基づいて、Ｒ、Ｇ、Ｂの各色信号、近赤外輝度信号Ｉｒを生成する。
【００２８】
ＣＤＳ回路２は、ＣＣＤイメージセンサ１から供給された各信号にそれぞれ相関二重サンプリング処理を施し、Ａ／Ｄ変換器３に供給する。Ａ／Ｄ変換器３は、ＣＤＳ回路２から供給された各信号をディジタル信号に変換し、Ｒ、Ｇ、Ｂ、Ｉｒの各信号を可視／赤外領域判定部４及びカラー画像生成部５に供給する。
【００２９】
可視／赤外領域判定部４は、Ｒ、Ｇ、Ｂの各信号から輝度信号（以下「可視光輝度信号」という。）Ｙを生成し、１画面の所定ブロック毎に、可視光輝度信号Ｙのレベル値と近赤外輝度信号Ｉｒのレベル値とを比較する。
【００３０】
ここで、所定ブロックとは、複数の画素で構成された領域であってもよいし、１画素であってもよい。
【００３１】
可視／赤外領域判定部４は、１画面の所定ブロック毎に、可視光輝度信号Ｙのレベル値と近赤外輝度信号Ｉｒのレベル値とを比較して、Ｉｒ＞Ｙの場合、そのブロックを赤外領域と判定する。また、Ｉｒ≦Ｙの場合、そのブロックを可視領域と判定する。そして、可視／赤外領域判定部４は、この判定結果をカラー画像生成部５に供給する。
【００３２】
また、可視／赤外領域判定部４は、１画面の所定ブロック毎に次のように判定してもよい。可視／赤外領域判定部４は、例えば、Ｉｒ−Ｙ＞Ｃ１（Ｃ１は定数）の場合は、そのブロックを赤外領域と判定し、Ｉｒ−Ｙ≦Ｃ１の場合は、そのブロックを可視領域と判定してもよい。
【００３３】
なお、可視／赤外領域判定部４は、ブロック毎に、色信号の存在する可視領域と、色信号がゼロ又はほとんど存在しない近赤外輝度信号Ｉｒのみの赤外領域と、を判定することができれば、上記の判定手法に限定されるものではない。
【００３４】
カラー画像生成部５は、可視領域と判定されたブロックについては、そのブロック内のＲ、Ｇ、Ｂの各信号を用いて色変換処理を行い、所定の色成分（輝度信号、色差信号など）からカラー画像を生成する。また、赤外領域と判定されたブロックについては、そのブロック内の近赤外輝度信号Ｉｒに基づいてモノクロ画像を生成する。
【００３５】
可視領域か赤外領域（可視領域でない領域）であるかを判定するのは次の理由による。赤外領域では、被写体からの可視光が届かないので、理想的にはＲ、Ｇ、Ｂのレベル値がそれぞれゼロになる。しかし実際には、ＣＣＤイメージセンサ１が出力する暗電流などの様々なノイズによって、Ｒ、Ｇ、Ｂのレベル値はゼロにならない。そこで、カラー画像生成部５は、赤外領域については、近赤外輝度信号Ｉｒを用いてモノクロ画像を生成することによって、カラーノイズのない画像を得ることができる。
【００３６】
そして、カラー画像生成部５は、これらのカラー画像及びモノクロ画像をＬＣＤ６に供給する。これにより、ＬＣＤ６では、可視領域にはカラー画像、赤外領域にはモノクロ画像が現れる。
【００３７】
以上のように、第１の実施形態に係る撮像装置は、被写体からの光に基づいて色信号Ｒ、Ｇ、Ｂ及び近赤外輝度信号Ｉｒを生成し、１画面の所定ブロック毎に、色信号Ｒ、Ｇ、Ｂに基づく可視光輝度信号Ｙのレベル値と近赤外輝度信号Ｉｒのレベル値とを比較することで可視領域か赤外領域であるかを判定する。そして、上記撮像装置は、可視領域については色信号Ｒ、Ｇ、Ｂに基づいてカラー画像を生成し、赤外領域については近赤外輝度信号Ｉｒに基づいてモノクロ画像を生成して、これらの画像を表示する。
【００３８】
この結果、上記撮像装置は、夜間に屋外を撮像した場合であっても、連続的かつ一部カラー化した画像を表示することができる。さらに、赤外領域については、近赤外輝度信号Ｉｒに基づいて、カラーノイズのないモノクロ画像を表示することができる。
【００３９】
［第２の実施形態］
つぎに、本発明の第２の実施形態について説明する。なお、第１の実施形態と同一の符号には同一の符号を付し、その詳細な説明は省略する。
【００４０】
図４は、本発明の第２の実施形態に係る撮像装置の構成を示すブロック図である。本実施形態に係る撮像装置は、車両前方を撮像できるように配置されている。上記撮像装置は、図１に示す構成に加えて疑似カラー生成部１１及びカラーマップメモリ１２を備え、またカラーＩＲフィルタ１０の代わりにカラーＩＲフィルタ１０Ａを用いている。
【００４１】
図５は、カラーＩＲフィルタ１０Ａを示す図である。カラーＩＲフィルタ１０Ａは、Ｒ成分、Ｇ成分、Ｂ成分、Ｉｒ１成分、Ｉｒ２成分をそれぞれ透過するフィルタで構成されている。ここで、Ｉｒ１成分とＩｒ２成分は、それぞれ波長の異なる近赤外成分である。ここでは、Ｉｒ１成分及びＩｒ２成分のみを示しているが、Ｉｒ成分の数は３つ以上であってもよい。なお、Ｒ、Ｇ、Ｂ、Ｉｒ１、Ｉｒ２のフィルタの配置については特に限定されるものではない。
【００４２】
これにより、ＣＣＤイメージセンサ１は、カラーＩＲフィルタ１０Ａを介して入射された光に基づいて、Ｒ、Ｇ、Ｂの各原色信号、近赤外輝度信号Ｉｒ１、Ｉｒ２を生成する。
【００４３】
ところで、光の反射特性は反射面の色によって異なる。例えば、被写体から反射された近赤外線Ｉｒ１、Ｉｒ２の大きさ（又は比率）は、被写体の色によって異なる特性がある。そこで、カラーマップメモリ１２には、このような光特性を考慮したカラーマップが記憶されている。
【００４４】
カラーマップメモリ１２に記憶されているカラーマップは、Ｒ、Ｇ、Ｂの各レベル値と、このＲ、Ｇ、Ｂの各レベル値によって表される色で反射されたときのＩｒ１及びＩｒ２の各レベル値と、の関係を示している。このカラーマップは、現在又は過去に蓄積した画像におけるＲ、Ｇ、Ｂの各レベル値と、その画像のＩｒ１、Ｉｒ２の各レベル値との関係から経験的に求められたものである。
【００４５】
なお、カラーマップは、赤外輝度信号Ｉｒ１、Ｉｒ２に対応する色信号Ｒ、Ｇ、Ｂの関係を表していれば、上記のように各信号のレベル値の対応関係を表しても良いし、また、各信号の比率の対応関係を表してもよい。
【００４６】
さらに、カラーＩＲフィルタ１０Ａがｎ（≧３）以上の異なる波長のＩｒ成分をそれぞれ透過できるフィルタである場合、カラーマップは、ｎ個の近赤外輝度信号と、これに対応する色信号Ｒ、Ｇ、Ｂの対応関係を示していればよい。
【００４７】
疑似カラー生成部１１は、Ａ／Ｄ変換器３から近赤外輝度信号Ｉｒ１、Ｉｒ２が入力されると、カラーマップメモリ１２から、近赤外輝度信号Ｉｒ１、Ｉｒ２に対応するＲ、Ｇ、Ｂの各色信号を読み出すことによって、赤外領域の疑似カラー画像を生成する。そして、この疑似カラー画像をカラー画像生成部５に供給する。
【００４８】
また、近赤外光源７は、異なる波長の近赤外光Ｉｒ１、Ｉｒ２を車両前方の被写体に照射する。なお、近赤外光源７は、Ｉｒ１成分及びＩｒ２成分が重畳された近赤外光を同時に出射してもよいし、Ｉｒ１成分及びＩｒ２成分を交互に出射してもよい。また、Ｉｒ１成分を出射する近赤外光源と、Ｉｒ２成分を出射する近赤外光源を設けてもよい。
【００４９】
以上のように構成された撮像装置では、夜間になると、近赤外光源７が車両前方に近赤外光を照射する。このとき、ＣＣＤイメージセンサ１は、カラーＩＲフィルタ１０Ａを介して入射された光に基づいて、Ｒ、Ｇ、Ｂの各色信号、近赤外輝度信号Ｉｒ１、Ｉｒ２を生成する。ＣＤＳ回路２及びＡ／Ｄ変換器３を経た色信号Ｒ、Ｇ、Ｂ、近赤外輝度信号Ｉｒ１、Ｉｒ２は、可視／赤外領域判定部４、カラー画像生成部５及びカラーマップメモリ１２に供給される。
【００５０】
可視／赤外領域判定部４は、Ｒ、Ｇ、Ｂの各信号から可視光輝度信号Ｙを生成し、１画面の所定ブロック毎に、可視光輝度信号Ｙのレベル値と近赤外輝度信号Ｉｒ１、Ｉｒ２とのレベル値とを比較する。
【００５１】
そして、可視／赤外領域判定部４は、（Ｉｒ１、Ｉｒ２の少なくとも１つ）＞Ｙの場合、そのブロックを赤外領域と判定し、（Ｉｒ１とＩｒ２のいずれも）≦Ｙの場合、そのブロックを可視領域と判定する。
【００５２】
なお、可視／赤外領域判定部４は、ブロック毎に、色信号の存在する可視領域と、色信号がゼロ又はほとんど存在しない近赤外輝度信号Ｉｒ１、Ｉｒ２のみの赤外領域と、を判定することができれば、上記の判定手法に限定されるものではない。そして、可視／赤外領域判定部４は、この判定結果をカラー画像生成部５及び疑似カラー生成部１１に供給する。
【００５３】
疑似カラー生成部１１は、可視／赤外領域判定部４によって赤外領域と判定されたブロックについて、疑似カラーを生成する。具体的には、疑似カラー生成部１１は、赤外領域と判定されたブロックの近赤外輝度信号Ｉｒ１、Ｉｒ２が供給されると、カラーマップメモリ１２から、その近赤外輝度信号Ｉｒ１、Ｉｒ２に対応する色信号Ｒ、Ｇ、Ｂを読み出し、これをカラー画像生成部５に供給する。
【００５４】
カラー画像生成部５は、可視／赤外領域判定部４によって可視領域と判定されたブロックについては、Ａ／Ｄ変換器３から供給される色信号Ｒ、Ｇ、Ｂに基づいて、カラー画像を生成する。カラー画像生成部５は、赤外領域と判定されたブロックについては、疑似カラー生成部１１から供給される色信号Ｒ、Ｇ、Ｂに基づいて、カラー画像を生成する。そして、カラー画像生成部５は、これらのカラー画像をＬＣＤ６に供給する。これにより、ＬＣＤ６には、可視領域にカラー画像が表示され、赤外領域に疑似カラー画像が表示される。
【００５５】
以上のように、第２の実施形態に係る撮像装置は、被写体からの光に基づいて色信号Ｒ、Ｇ、Ｂ及び近赤外輝度信号Ｉｒ１、Ｉｒ２を生成し、１画面の所定ブロック毎に、色信号Ｒ、Ｇ、Ｂに基づく可視光輝度信号Ｙのレベル値と近赤外輝度信号Ｉｒ１、Ｉｒ２のレベル値とを比較することで可視領域か赤外領域であるかを判定する。そして、上記撮像装置は、可視領域については色信号Ｒ、Ｇ、Ｂに基づいてカラー画像を生成する。
【００５６】
また、上記撮像装置は、赤外領域については、カラーマップメモリ１２から近赤外輝度信号Ｉｒ１、Ｉｒ２に対応する色信号Ｒ、Ｇ、Ｂを読み出し、これらの色信号Ｒ、Ｇ、Ｂに基づいてカラー画像を生成する。
【００５７】
この結果、上記撮像装置は、夜間に屋外を撮像した場合であっても、連続的かつ全面カラーの画像を表示することができる。さらに、赤外領域については、カラーマップメモリ１２から読み出した色信号Ｒ、Ｇ、Ｂを用いているので、カラーノイズのないカラー画像を表示することができる。
【００５８】
本発明は、上述した実施の形態に限定されるものではなく、特許請求の範囲に記載された範囲内で設計上の変更をされたものにも適用可能であるのは勿論である。
【００５９】
例えば、第１及び第２の実施形態では、赤外線として近赤外線を用いたが、遠赤外線を用いてもよい。このとき、撮像装置は、近赤外光源７及び駆動回路８を備えてなくてもよく、近赤外線ではなく遠赤外線を透過するカラーＩＲフィルタを用いればよい。
【００６０】
また、色信号として、３原色信号Ｒ、Ｇ、Ｂを例に挙げて説明したが、本発明はこれに限定されるものではなく、ＣＭＹＫや、Ｌａｂ等の色信号であってもよい。
【図面の簡単な説明】
【００６１】
【図１】本発明の第１の実施形態に係る撮像装置の構成を示すブロック図である。
【図２】カラーＩＲフィルタの構成を示す図である。
【図３】多板式の撮像装置に備えられたＣＣＤイメージセンサを示す図である。
【図４】本発明の第２の実施形態に係る撮像装置の構成を示すブロック図である。
【図５】カラーＩＲフィルタを示す図である。
【符号の説明】
【００６２】
１，１Ｒ，１Ｇ，１Ｂ，１Ｉｒ  ＣＣＤイメージセンサ
２  ＣＤＳ回路
３  Ａ／Ｄ変換器
４  可視／赤外領域判定部
５  カラー画像生成部
６  ＬＣＤ
７  近赤外光源
８  駆動回路
１０，１０Ａ  カラーＩＲフィルタ
１１  疑似カラー生成部
１２  カラーマップメモリ
【図１】
2006148690.tif 000003
【図２】
2006148690.tif 000004
【図３】
2006148690.tif 000005
【図４】
2006148690.tif 000006
【図５】
2006148690.tif 000007